(57)【特許請求の範囲】
【請求項１】
ユーザ側の端末装置と、サーバとがネットワークを介して接続されたシステムであって、
前記サーバは、
前記端末装置から受け取ったＣＡＤデータと、出力の変換データの書体、出力の変換データの線種ごとの線の長さ及び間隔、並びに、前記ＣＡＤデータにおける色名又は画層名ごとの線幅を含む変換仕様パラメタとを登録、保持するデータベースと、
前記データベース上の前記ＣＡＤデータを、前記変換仕様パラメタに従って、印刷用にデータ変換を行い、変換データを前記データベースに登録、保持するものであり、前記ＣＡＤデータのテキストを、前記変換仕様パラメタの前記書体にテキスト変換し、前記ＣＡＤデータのオブジェクトの線を、前記変換仕様パラメタの前記線種ごとの線の長さ及び間隔に変換するとともに、前記変換仕様パラメタの前記色名又は画層名ごとの線幅に変換するデータ変換手段と、
前記端末装置から前記データベース上の変換データを表示確認するための変換データファイルごとの制作物の図面プレビュアーを有し、並びに、前記変換データファイルごとにダウンロード指示チェック欄及び発注コンテンツチェック欄を有するデータチェックリスト画面を提示する提示手段と、
を備えることを特徴とするＣＡＤデータ変換支援システム。
【請求項２】
前記サーバは、
前記端末装置における前記ダウンロード指示チェック欄の指定に応じて、前記変換データを前記端末装置に送信する送信手段を、更に具備することを特徴とする請求項１記載のＣＡＤデータ変換支援システム。
【請求項３】
前記変換仕様パラメタは、更に、ＣＡＤデータファイル形式、ＣＡＤデータファイル数、出力の変換データファイル形式、及び、出力の変換データ尺度を含むことを特徴とする請求項１記載のＣＡＤデータ変換支援システム。
【請求項４】
前記端末装置は、前記サーバにデータ変換料金を課金することを特徴とする請求項１記載のＣＡＤデータ変換支援システム。
【請求項５】
前記端末装置における前記発注コンテンツチェック欄の指定に応じて、前記サーバはデータ変換料金の割引きを行うことを特徴とする請求項１記載のＣＡＤデータ変換支援システム。
【請求項６】
前記端末装置における前記発注コンテンツチェック欄の指定に応じて、前記サーバ側で前記制作物の印刷が行われることを特徴とする請求項１記載のＣＡＤデータ変換支援システム。
【請求項７】
前記端末装置は、予め、前記サーバに対して会員登録を行うことを特徴とする請求項１記載のＣＡＤデータ変換支援システム。
【請求項８】
ユーザ側の端末装置と、ネットワークを介して接続されたサーバであって、
前記端末装置から受け取ったＣＡＤデータと、出力の変換データの書体、出力の変換データの線種ごとの線の長さ及び間隔、並びに、前記ＣＡＤデータにおける色名又は画層名ごとの線幅を含む変換仕様パラメタとを登録、保持するデータベースと、
前記データベース上の前記ＣＡＤデータを、前記変換仕様パラメタに従って、印刷用にデータ変換を行い、変換データを前記データベースに登録、保持するものであり、前記ＣＡＤデータのテキストを、前記変換仕様パラメタの前記書体にテキスト変換し、前記ＣＡＤデータのオブジェクトの線を、前記変換仕様パラメタの前記線種ごとの線の長さ及び間隔に変換するとともに、前記変換仕様パラメタの前記色名又は画層名ごとの線幅に変換するデータ変換手段と、
前記端末装置から前記データベース上の変換データを表示確認するための変換データファイルごとの制作物の図面プレビュアーを有し、並びに、前記変換データファイルごとにダウンロード指示チェック欄及び発注コンテンツチェック欄を有するデータチェックリスト画面を提示する提示手段と、
を備えることを特徴とするサーバ。
【請求項９】
前記端末装置における前記ダウンロード指示チェック欄の指定に応じて、前記変換データを前記端末装置に送信する送信手段を、更に具備することを特徴とする請求項８記載のサーバ。
【請求項１０】
前記変換仕様パラメタは、更に、ＣＡＤデータファイル形式、ＣＡＤデータファイル数、出力の変換データファイル形式、及び、出力の変換データ尺度を含むことを特徴とする請求項８記載のサーバ。
【請求項１１】
前記端末装置における前記発注コンテンツチェック欄の指定に応じて、変換料金の割引きを行うことを特徴とする請求項８記載のサーバ。
【請求項１２】
前記端末装置における前記発注コンテンツチェック欄の指定に応じて、前記制作物の印刷を行うことを特徴とする請求項８記載のサーバ。
【請求項１３】
コンピュータを請求項８記載のサーバとして機能させるためのプログラム。
【請求項１４】
コンピュータを請求項８記載のサーバとして機能させるためのプログラムを記録した記録媒体。
【発明の詳細な説明】
【０００１】
【発明の属する技術分野】
本発明は、ネットワークを用いたＣＡＤ（Ｃｏｍｐｕｔｅｒ  Ａｉｄｅｄ  Ｄｅｓｉｇｎ）データ変換支援システムに関する。
【０００２】
【従来の技術】
従来、設計図面等のＣＡＤデータをデータ変換し、印刷（ＤＴＰ：ＤｅｓｋＴｏｐ  Ｐｕｂｌｉｓｈｉｎｇ）向けに利用していた。
【０００３】
【発明が解決しようとする課題】
しかしながら、ＣＡＤデータをＤＴＰ向けに活用する際、従来のデータ変換では文字化けや線種変換不良が発生していた為、図面のカメラ撮りや、Ｉｌｌｕｓｔｒａｔｏｒ（商標名）等での再トレースを行うなどデータ作成作業をしなければならなかった。その結果、印刷品質不良、作業工数増大等の作業負荷大が生じ、ネットワークを経由したデータ変換サービスを提供することは難しかった。
【０００４】
本発明は、以上の点に鑑みてなされたものであり、ネットワークを用いてＣＡＤデータをＤＴＰデータにデータ変換するＣＡＤデータ変換支援システムを提供することを目的とする。
【０００５】
【課題を解決するための手段】
前述した目的を達成するために本発明は、ユーザ側の端末装置と、サーバとがネットワークを介して接続されたシステムであって、前記サーバは、前記端末装置から受け取ったＣＡＤデータと、出力の変換データの書体、出力の変換データの線種ごとの線の長さ及び間隔、並びに、前記ＣＡＤデータにおける色名又は画層名ごとの線幅を含む変換仕様パラメタとを登録、保持するデータベースと、前記データベース上の前記ＣＡＤデータを、前記変換仕様パラメタに従って、印刷用にデータ変換を行い、変換データを前記データベースに登録、保持するものであり、前記ＣＡＤデータのテキストを、前記変換仕様パラメタの前記書体にテキスト変換し、前記ＣＡＤデータのオブジェクトの線を、前記変換仕様パラメタの前記線種ごとの線の長さ及び間隔に変換するとともに、前記変換仕様パラメタの前記色名又は画層名ごとの線幅に変換するデータ変換手段と、前記端末装置から前記データベース上の変換データを表示確認するための変換データファイルごとの制作物の図面プレビュアーを有し、並びに、前記変換データファイルごとにダウンロード指示チェック欄及び発注コンテンツチェック欄を有するデータチェックリスト画面を提示する提示手段と、を備えることを特徴とするＣＡＤデータ変換支援システムである。
【０００６】
前記変換仕様パラメタは、更に、ＣＡＤデータファイル形式、ＣＡＤデータファイル数、出力の変換データファイル形式、及び、出力の変換データ尺度を含む。
【０００７】
本発明では、サーバは、端末装置から受け取ったＣＡＤデータと変換仕様パラメタを登録、保持するデータベースを有し、データベース上のＣＡＤデータを、変換仕様パラメタに従って、印刷用にデータ変換を行い、変換データをデータベースに登録、保持する。特に、サーバは、ＣＡＤデータのテキストを、変換仕様パラメタの書体にテキスト変換し、ＣＡＤデータのオブジェクトの線を、変換仕様パラメタの線種ごとの線の長さ及び間隔に変換するとともに、変換仕様パラメタの色名又は画層名ごとの線幅に変換する。また、特に、サーバは、端末装置からデータベース上の変換データを表示確認するための変換データファイルごとの制作物の図面プレビュアーを有し、並びに、変換データファイルごとにダウンロード指示チェック欄及び発注コンテンツチェック欄を有するデータチェックリスト画面を提示する。
【０００８】
【発明の実施の形態】
以下、図面に基づいて本発明の本実施の形態を詳細に説明する。図１は、本実施の形態に係るＣＡＤデータ変換支援システム１の概略構成を示す図である。ＣＡＤデータ変換支援システム１は、ネットワークを用いて、ＣＡＤデータを印刷向けのデータにデータ変換するサービスを行うものである。
【０００９】
図１に示すように、ＣＡＤデータ変換支援システム１は、利用者３の情報端末機９、ネットワーク５、データ変換会社７のサーバ１０等からなる。ＣＡＤデータ変換支援システム１は、例えばインターネットなどのネットワーク５を介して、利用者３の情報端末機９と、サーバ１０とが接続されて構成される。
【００１０】
利用者３はデザイナー、企業の印刷用のカタログ販促部門等であり、情報端末機９を有する。情報端末機９は、通常はパーソナルコンピュータ等である。情報端末機９には任意のｗｅｂブラウザがインストールされており、情報端末機９は、ネットワーク５を介して、サーバ１０の所定のｗｅｂサイトをアクセスし、設計図面等のＣＡＤデータをアップロードし、データ変換要求を行い、変換データをダウンロードする。尚、利用者３は、情報端末機９を用いて、予め、サーバ１０に対して会員登録を行う。
【００１１】
データ変換会社７はサーバ１０、会員情報データベース（会員情報ＤＢ）１１、ＣＡＤデータデータベース（ＣＡＤデータＤＢ）１２、ＣＡＤデータ変換システム１３等を有する。サーバ１０は、利用者３の情報端末機９の要求に応じて、利用者の認証機能、データの送受信機能を有する。会員情報ＤＢ１１には、利用者３の会員情報を登録、保持する。ＣＡＤデータＤＢ１２には、ＣＡＤデータ、変換データ（ＤＴＰデータ）、変換仕様パラメタ等を保持する。ＣＡＤデータ変換システム１３はＣＡＤデータを印刷向けのＤＴＰデータにデータ変換する。また、データ変換会社７は、カタログ印刷等の商業用印刷も行う。
【００１２】
次に、ＣＡＤデータ変換支援システム１の処理手順について説明する。図２、図３、図４、図５は、ＣＡＤデータ変換支援システム１の処理手順を示すフローチャートである。
【００１３】
図２に示すように、利用者３の情報端末機９は、ｗｅｂブラウザより、ネットワーク５を介して、サーバ１０の所定のｗｅｂサイトにアクセスし、会員登録する為に、個人情報である会員情報（氏名、住所、アクセス情報等）を入力、送信する（ステップ２０１）。サーバ１０は、受け取った会員情報を会員情報ＤＢ１１に登録する（ステップ２０２）。
【００１４】
利用者３は、情報端末機９を用いて、サービス会員となりサンプルデータとして、サンプルデータ変換サイトより無料データ変換サービスを１ファイル（容量制限あり）可能とし、その後、本会員登録を行う。本会員登録すると、サーバ１０は、専用データベースアクセス用の会員ＩＤ（ユーザＩＤ）、パスワードを発行する。利用者３は本会員になると、複数のＣＡＤデータファイルのデータ変換を行うことができる。
【００１５】
情報端末機９は、サーバ１０の所定のｗｅｂサイトにアクセスし、会員ＩＤとパスワードを入力し、ログインする（ステップ２０３）。サーバ１０は、受け取った会員ＩＤとパスワードを確認する（ステップ２０４）。
【００１６】
サーバ１０は、ＣＡＤデータ登録画面を提示する（ステップ２０５）。情報端末機９は、ＣＡＤデータ登録画面を表示し（ステップ２０６）、データ変換を発注する（ステップ２０７）。サーバ１０は、データの変換仕様書画面２０を提示する（ステップ２０８）。
【００１７】
図３に示すように、情報端末機９はデータの変換仕様書画面２０を表示し（ステップ２０９）、変換仕様書画面２０に従って、変換内容である変換仕様パラメタを入力し、送信する（ステップ２１０）。図６は、変換仕様書画面２０を示す。
【００１８】
図６に示すように、入力する変換内容である変換仕様パラメタは、アップロードファイルフォーマット２１、アップロードファイル点数２２、出力データファイルフォーマット２３、出力データ尺度２４、出力データ紙面サイズ２５、出力データの書体２６、線種２９、線幅３２等を含む。
【００１９】
アップロードファイルフォーマット２１は、データ変換の入力としてアップロードするＣＡＤデータのファイルフォーマット（ＤＸＦ形式、ＤＷＧ形式等）を指定する。ＤＸＦ形式は、代表的なＣＡＤ用ソフトウェアのデータファイルフォーマットであり、設計図面として２次元や３次元データを交換するための標準的なファイルフォーマットである（尚、ＤＸＦ形式のデータはオブジェクトの線幅情報を持たない）。アップロードファイル点数２２は、ＣＡＤデータファイル数を指定する。例えば、４つのファイルをアップロードする場合、アップロードファイル点数２２に“４”を指定する。
【００２０】
出力データフォーマット２３は、変換出力データのファイルフォーマット（ＥＰＳ形式、ＰＤＦ形式等）を指定する。ＥＰＳ形式は、高解像度を要求する印刷処理で一般に利用されている代表的なページ記述言語のデータをソフトウェア間でやり取りするフォーマットである。
【００２１】
出力データ尺度２４は出力データの尺度を指定する。例えば、出力データ尺度２４に“１／２”を指定する。出力データ紙面サイズ２５は出力紙面サイズ（Ａ５、Ａ４、Ａ３、Ｂ５、Ｂ４、Ｂ３等）を指定する。
【００２２】
出力データの書体２６は、アップロードファイルのＣＡＤデータ字体名２７、出力データ書体名２８等を指定する。例えば、元のＣＡＤデータ字体名２７“ＳＴＡＮＤＡＲＤ”に対して、出力データ書体名２８は“ゴシック体”に変換される。
【００２３】
出力データの線種２９（破線、一点鎖線、二点鎖線等）の線の長さ３０、間隔３１を指定する。例えば、破線の場合、線の長さ３０に“３”ｍｍ、間隔３１に“２”ｍｍを指定すると、出力は２ｍｍ間隔の３ｍｍの破線に変換される。
【００２４】
出力データの線幅３２は、アップロードファイル上の色名３３、（または画層名３４）に対する出力データの線幅３５を指定する。例えば、図６自体をデータ変換する一つの設計図面とする場合、図６の枠３６−１は、図面上、画層名“１”であり、その中の枠３６−２は画層名“２”、枠３６−３は画層名“３”となる。アップロードファイル上の色名３３“赤”／画層名３５“３”に対して線幅３５に“１”ｍｍを指定すると、出力データの図６の図面上で赤の枠３６−３は、線幅“１”ｍｍに変換される。
【００２５】
次に、サーバ１０は、受け取ったデータの変換仕様パラメタをＣＡＤデータＤＢ１２に登録する（ステップ２１１）。情報端末機９は、ＣＡＤデータをサーバ１０にアップロードする（ステップ２１２）。サーバ１０は、受け取ったＣＡＤデータをＣＡＤデータＤＢ１２に登録（格納）する（ステップ２１３）。
【００２６】
ＣＡＤデータ変換システム１３は、ＣＡＤデータＤＢ１２に登録されたＣＡＤデータを、変換仕様書で指定した変換仕様パラメタに従ってＤＴＰデータに変換する（ステップ２１４）。テキストに対する変換内容は、元のＣＡＤデータのテキストを指定した出力データの書体２６にテキスト変換し、出力データ尺度２４、出力データ紙面サイズ２５等に合わせて、サイズを縮尺する。オブジェクトについては、元のＣＡＤデータのオブジェクト全体を出力データ尺度２４、出力データ紙面サイズ２５等に合わせて尺度変換し、色名３３、または画層名３４の指示ごとに指定した線幅３５に変換し、線の長さ３０、間隔３１の指示ごとに線種２９（破線、一点鎖線、二点鎖線等）を変換する。
【００２７】
サーバ１０は、ｗｅｂサイト上に変換状態、完了予定日等の経過状況を提示する（ステップ２１５）。情報端末機９は、サーバ１０のｗｅｂサイトにアクセスし、変換の経過状況を表示し確認する（ステップ２１６）。
【００２８】
図４に示すように、ＣＡＤデータ変換システム１３は、データ変換完了後、変換されたＤＴＰデータをＣＡＤデータＤＢ１２に登録する（ステップ２１７）。サーバ１０は、変換完了を提示する（ステップ２１８）。情報端末機９は、サーバ１０のｗｅｂサイトにアクセスし、変換完了通知を表示し確認する（ステップ２１９）。
【００２９】
サーバ１０は、ＣＡＤデータＤＢ１２上からデータチェックリスト画面４０を提示する（ステップ２２０）。図７は、データチェックリスト画面４０を示す。図７に示すように、データチェックリスト画面４０は、発注コンテンツチェック欄４１、ダウンロード指示チェック欄４２、出力データのファイル名４３、図面プレビュアー４４からなる。
【００３０】
情報端末機９は、データチェックリスト画面４０を表示し、図面プレビュアー４４でデータ変換後のＤＴＰデータ（例えば、図面）を表示確認する（ステップ２２１）。
【００３１】
データ変換会社７にカタログ制作等の制作物の印刷発注依頼を行う場合、情報端末機９は、データチェックリスト画面４０上の発注コンテンツチェック欄４１を指定する（ステップ２２２）。サーバ１０は、制作物の発注依頼をＣＡＤデータＤＢ１２に登録し、データ変換料金の割引率を換算し、変換料金を割引きする（ステップ２２３）。
【００３２】
図５に示すように、情報端末機９は、データチェックリスト画面４０上のダウンロード指示チェック欄４２を指定し、ダウンロードを指示する（ステップ２２４）。サーバ１０は、ＣＡＤデータＤＢ１２上の変換データを情報端末機９にダウンロードする（ステップ２２５、ステップ２２６）。
【００３３】
情報端末機９は、データ変換会社７側に変換料金を課金する（ステップ２２７）。また、必要に応じて、利用者３は、年間契約で本会員料金を支払う。
【００３４】
以上説明したように、本実施の形態によれば、情報端末機９は、ネットワーク５を介して、サーバ１０の所定のｗｅｂサイトをアクセスし、設計図面等のＣＡＤデータをアップロードする。サーバ１０は、ＣＡＤデータと、情報端末機９により指定されたＣＡＤデータファイルフォーマット、出力データフォーマット、出力データ尺度、出力データの書体、線種、線幅等の変換仕様書の変換内容をＣＡＤデータＤＢ１２に登録する。ＣＡＤデータ変換システム１３は、ＣＡＤデータＤＢ１２上のＣＡＤデータを、変換仕様書の変換内容に従って、ＤＴＰデータにデータ変換し、変換データをＣＡＤデータＤＢ１２に登録する。サーバ１０は、情報端末機９のデータチェックリストの指示により変換データを情報端末機９にダウンロードする。利用者３の情報端末機９は、変換料金としてダウンロードの際、課金する。情報端末機９が制作物の発注依頼をデータ変換会社７側に指定すると、サーバ１０は変換料金を割引きする。
【００３５】
これにより、利用者３はデータ変換依頼、データ変換、更に制作物の発注依頼まで容易に、かつ敏速に実現でき、従来のデータ変換作業に比べて、人為的負荷が減少し、印刷品質も向上する。また、変換されたデータを利用者ごとに専用データベースで管理し、データ変換会社７側に制作物の発注依頼を行うことによる変換料金の割引きサービスを付加することにより、利用者側のデータ変換、制作物の印刷等のコストが低減される。
【００３６】
尚、図２、図３、図４、図５に示す処理を行うプログラムはＣＤ−ＲＯＭ等の記録媒体に保持させて流通させてもよいし、このプログラムを通信回線を介して送受することもできる。
【００３７】
【発明の効果】
以上、詳細に説明したように本発明によれば、ネットワークを用いてＣＡＤデータをＤＴＰデータにデータ変換するＣＡＤデータ変換支援システムを提供することができる。
【図面の簡単な説明】
【図１】  本実施の形態に係るＣＡＤデータ変換支援システム１の概略構成を示す図
【図２】  ＣＡＤデータ変換支援システム１の処理手順を示すフローチャート
【図３】  ＣＡＤデータ変換支援システム１の処理手順を示すフローチャート
【図４】  ＣＡＤデータ変換支援システム１の処理手順を示すフローチャート
【図５】  ＣＡＤデータ変換支援システム１の処理手順を示すフローチャート
【図６】  変換仕様書画面２０を示す図
【図７】  データチェックリスト画面４０を示す図
【符号の説明】
１………ＣＡＤデータ変換支援システム
３………利用者
５………ネットワーク（インターネット）
７………データ変換会社
９………情報端末機
１０………サーバ
１１………会員情報ＤＢ
１２………ＣＡＤデータＤＢ
１３………ＣＡＤデータ変換システム
【図１】
0004698886.tif 000002
【図２】
0004698886.tif 000003
【図３】
0004698886.tif 000004
【図４】
0004698886.tif 000005
【図５】
0004698886.tif 000006
【図６】
0004698886.tif 000007
【図７】
0004698886.tif 000008